(57)【要約】【課題】補助者がインジケータによって排尿量を適切に把握し、適切なタイミングに吸収性物品の交換を行うことができる吸収性物品を提供する。【解決手段】使い捨ておむつ(10)は、吸収コア(31)と、吸収コアよりも非肌面側において前後方向に延びて配置され、水分との接触によって変色するインジケータ(70)と、を含む。インジケータは、前後方向に延びるインジケータ列(71,72)を有する。インジケータ列は、前後方向に間隔を空けて配置された複数の図柄部(80)の集合体によって構成されている。【選択図】図２
2020065812.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
吸収コアと、
少なくとも前記股下域に配置され、かつ前記吸収コアよりも非肌対向面側において水分との接触によって変色するインジケータと、を含む吸収性物品であって、
前記インジケータは、前記前後方向に延びるインジケータ列を有し、
前記インジケータ列は、前記前後方向に間隔を空けて配置された複数の図柄部の集合体によって構成されている、吸収性物品。
【請求項２】
前記図柄部は、第１図柄部と、水分との接触によって変色した変色後において前記第１図柄部と視覚的に異なる第２図柄部と、を有する、請求項１に記載の吸収性物品。
【請求項３】
前記第１図柄部と前記第２図柄部は、相互作用的に関係がある、請求項２に記載の吸収性物品。
【請求項４】
前記第１図柄部と前記第２図柄部は、相互作用的に無関係である、請求項２に記載の吸収性物品。
【請求項５】
少なくとも一つの前記第２図柄部は、前記前後方向において前記第１図柄部間に配置されている、請求項２から請求項４のいずれか１項に記載の吸収性物品。
【請求項６】
前記第１図柄部の最大長さは、前記第２図柄部の最大長さよりも長い、請求項２から請求項５のいずれか１項に記載の吸収性物品。
【請求項７】
前記第１図柄部と前記第２図柄部は、前記前後方向に間隔を空けて交互に配置されており、
前記第１図柄部と前記第２図柄部の前記前後方向の間隔は、５ｍｍ以下である、請求項２から請求項６のいずれか１項に記載の吸収性物品。
【請求項８】
前記図柄部の前記前後方向の最大長さは、前記図柄部間の前記前後方向の間隔よりも長い、請求項１から請求項７のいずれか１項に記載の吸収性物品。
【請求項９】
前記図柄部の前記前後方向のピッチは、一定である、請求項１から請求項８のいずれか１項に記載の吸収性物品。
【請求項１０】
前記図柄部間の間隔は、一定である、請求項１から請求項９のいずれか１項に記載の吸収性物品。
【請求項１１】
前記図柄部同士は、前記インジケータ列を構成する連結部を介して連なっている、請求項１から請求項１０のいずれか１項に記載の吸収性物品。
【請求項１２】
前記図柄部は、前記インジケータ列を構成する囲み部によって囲まれている、請求項１から請求項１１のいずれか１項に記載の吸収性物品。
【請求項１３】
前記インジケータ列の前記幅方向の両側には、前記吸収コアが厚さ方向に凹んだ吸収凹部がそれぞれ形成されており、
前記吸収凹部は、前記前後方向に延びている、請求項１から請求項１２のいずれか１項に記載の吸収性物品。
【請求項１４】
前記吸収凹部は、前記吸収コアを厚さ方向に貫通するスリットであり、
平面視にて前記スリットと重なる領域において、前記吸収コアを前記厚さ方向において挟んで配置されたシート同士が接合されている、請求項１３に記載の吸収性物品。
【請求項１５】
前記インジケータ列は、前記吸収性物品の前記幅方向の中央に配置されており、
前記インジケータは、前記インジケータ列よりも前記幅方向の両側に配置された一対の補助インジケータを有し、
前記補助インジケータは、前記吸収凹部よりも前記幅方向の外側に配置されている、請求項１３又は請求項１４に記載の吸収性物品。
【請求項１６】
前記インジケータ列は、前記吸収性物品の幅方向の中央に配置されており、
前記インジケータは、前記インジケータ列よりも前記幅方向の両側に配置された一対の補助インジケータを有する、請求項１から請求項１４のいずれか１項に記載の吸収性物品。
【請求項１７】
前記前後方向に並んで配置された前記複数の図柄部は、排尿態様を段階的に示している、請求項１から請求項１６のいずれか１項に記載の吸収性物品。
【請求項１８】
前記図柄部は、数字を含み、
前記数字を含む図柄部は、前記前後方向に並んで配置されている、請求項１７に記載の吸収性物品。
【請求項１９】
前記図柄部は、段階的に変化する絵柄を含み、
前記絵柄を含む図柄部は、前記前後方向に並んで配置されている、請求項１８に記載の吸収性物品。
【請求項２０】
前記インジケータ列には、変色後の視認性の低い低視認性部と、該低視認性部に比して該視認性の高い高視認性部とが設けられており、
該低視認性部を挟んで前記前後方向の両側に該高視認性部が位置しており、
前記インジケータ列の任意の部位を前記幅方向に横断する１本の仮想直線と前記インジケータ列との重なり部分の長さの合計を、該部位における前記変色する剤の塗布幅とした場合、前記低視認性部は、前記前後方向の両側に位置する前記高視認性部に比して該塗布幅が小さい、請求項１から請求項１９のいずれか１項に記載の吸収性物品。
【請求項２１】
請求項１から請求項１９のいずれか１項に記載の前記吸収性物品を複数収容した吸収性物品の収容体であって、
前記複数の吸収性物品は、第１装飾部を有する第１吸収性物品と、前記第１装飾部と視覚的に異なる第２装飾部を有する第２吸収性物品と、を有し、
前記前後方向において、前記第１吸収性物品の前記図柄部の中心位置と前記第２吸収性物品の前記図柄部の中心位置との距離は、前記図柄部の長さに対する１０％以下であり、
前記幅方向において、前記第１吸収性物品の前記図柄部の中心位置と前記第２吸収性物品の前記図柄部の中心位置との距離は、前記図柄部の長さに対する１０％以下である、吸収性物品の収容体。
【請求項２２】
前記第１吸収性物品の図柄部と前記第２吸収性物品の図柄部は、視覚的に同じである、請求項２１に記載の吸収性物品の収容体。
【請求項２３】
前記第１吸収性物品の図柄部と前記第２吸収性物品の図柄部は、視覚的に異なる、請求項２１に記載の吸収性物品の収容体。
【請求項２４】
前記第１装飾部及び前記第２装飾部は、前記吸収性物品の非肌面側から視認可能である、請求項２１から請求項２３のいずれか１項に記載の吸収性物品の収容体。
【発明の詳細な説明】
【技術分野】
【０００１】
本発明は、インジケータを有する吸収性物品及び吸収性物品の収容体に関する。
【背景技術】
【０００２】
従来、水分との接触によって変色するインジケータが吸収コアよりも非肌対向面側に配置された吸収性物品が提供されている。例えば、特許文献１の吸収性物品のインジケータは、股下域に配置された腹側インジケータと、腹側インジケータよりも背側において、腹側インジケータと間隔を空けて配置された背側インジケータと、を有する。母親等の補助者は、吸収性物品を着用者に装着した状態で吸収性物品の外側からインジケータを確認し、吸収性物品の交換タイミングを把握する。このとき、補助者は、腹側インジケータのみが変色した状態や背側インジケータも変色した状態等のインジケータの変色態様によって大凡の排尿量を把握し、吸収性物品の交換タイミングを決めている。
【先行技術文献】
【特許文献】
【０００３】
【特許文献１】特開２０１４−１４７４３３号公報
【発明の概要】
【発明が解決しようとする課題】
【０００４】
近年、補助者による排尿態様に対する関心が高まっており、排尿態様に基づいて吸収性物品の交換タイミングのみならず、健康状態や装着状態を把握することが行われている。具体的には、排尿量に基づいて着用者が十分に水分を摂取できているかを把握したり、排尿位置に基づいて正しく装着されているかを把握したりすることが行われている。例えば、特許文献１のように、前後方向に分離したインジケータを有する構成にあっては、排尿の有無等の大凡の排尿状態を把握することができるが、排尿態様を細かく把握できず、排尿態様に基づいて健康状態や装着状態を十分に把握できないことがあった。
【０００５】
よって、補助者がインジケータによって排尿態様を適切に把握し、排尿態様に基づいて着用者の健康状態や装着状態を把握できる吸収性物品が望まれる。
【課題を解決するための手段】
【０００６】
一態様に係る吸収性物品は、互いに直交する前後方向及び幅方向と、前胴回り域、後胴回り域、及び前記前胴回り域及び前記後胴回り域との間に配置された股下域と、吸収コアと、少なくとも前記股下域に配置され、かつ前記吸収コアよりも非肌対向面側において水分との接触によって変色するインジケータと、を含む吸収性物品であって、前記インジケータは、前記前後方向に延びるインジケータ列を有し、前記インジケータ列は、前記前後方向に間隔を空けて配置された複数の図柄部の集合体によって構成されている。
【図面の簡単な説明】
【０００７】
【図１】図１は、実施の形態に係る吸収性物品を肌対向面側から見た模式平面図である。
【図２】図２は、実施の形態に係る吸収性物品を非肌対向面側から見た模式平面図である。
【図３】図３は、図１に示す３Ａ−３Ａ線に沿った模式断面図である。
【図４】図４は、変形例に係るインジケータを示した図である。
【図５】図５は、変形例に係るインジケータを示した図である。
【図６】図６は、吸収性物品の収容体を示した図である。
【０００８】
（１）実施形態の概要
一態様に係る吸収性物品は、互いに直交する前後方向及び幅方向と、前胴回り域、後胴回り域、及び前記前胴回り域及び前記後胴回り域との間に配置された股下域と、吸収コアと、少なくとも前記股下域に配置され、かつ前記吸収コアよりも非肌対向面側において水分との接触によって変色するインジケータと、を含む吸収性物品であって、前記インジケータは、前記前後方向に延びるインジケータ列を有し、前記インジケータ列は、前記前後方向に間隔を空けて配置された複数の図柄部の集合体によって構成されている。
【０００９】
インジケータ列が前後方向に延びており、補助者は、インジケータ列によって排尿された領域の前後方向の範囲を把握でき、前後方向の排尿位置及び大凡の排尿量を把握できる。インジケータ列には、複数の図柄部が前後方向に間隔を空けて配置されている。図柄部は、線形状と比較して、それぞれが目立ち易い。補助者は、それぞれの図柄部を独立した目印として認識でき、図柄部を目盛りとして細かい排尿量及び排尿位置を把握できる。よって、補助者は、排尿態様に基づいて着用者の健康状態や装着状態を把握できる。
【００１０】
好ましい一態様によれば、前記図柄部は、第１図柄部と、水分との接触によって変色した変色後において前記第１図柄部と視覚的に異なる第２図柄部と、を有してよい。
【００１１】
視覚的に異なる第１図柄部と第２図柄部を有しているため、図柄部が区別され易い。補助者は、インジケータ列内における個々の図柄部の位置を把握し易く、図柄部を目盛りとして排尿量及び排尿位置をより適切に把握できる。
【００１２】
好ましい一態様によれば、前記第１図柄部と前記第２図柄部は、相互作用的に関係があってよい。
【００１３】
第１図柄部と第２図柄部が相互作用的に関係あるため、補助者は、第１図柄部と第２図柄部の両方を、目盛りを示す図柄部として認識し易い。よって、第１図柄部と第２図柄部を包括した全体を目盛りとして排尿量及び排尿位置をより適切に把握できる。
【００１４】
好ましい一態様によれば、前記第１図柄部と前記第２図柄部は、相互作用的に無関係であってよい。
【００１５】
図柄部が相互作用的に無関係であるため、補助者は、各図柄部を区別して認識し、混同しにくくなる。よって、補助者は、インジケータの反応状態を適切に把握し、排尿量を適切に把握し易い。
【００１６】
好ましい一態様によれば、少なくとも一つの前記第２図柄部は、前記前後方向において前記第１図柄部間に配置されてよい。
【００１７】
補助者は、第１図柄部のみならず第２図柄部に基づいて排尿態様を把握することができ、より細かく排尿態様を把握することができる。
【００１８】
好ましい一態様によれば、前記第１図柄部の最大長さは、前記第２図柄部の最大長さよりも長くてよい。
【００１９】
第１図柄部が第２図柄部よりも目立ちやすく、図柄部が排尿量を指標する目盛りとして機能しやすくなる。また、第２図柄部の最大長さが短いため、第２図柄部が細かい目盛りとして機能し、より細かく排尿態様を把握することができる。
【００２０】
好ましい一態様によれば、前記第１図柄部と前記第２図柄部は、前記前後方向に間隔を空けて交互に配置されており、前記第１図柄部と前記第２図柄部の前記前後方向の間隔は、５ｍｍ以下であってよい。
【００２１】
第１図柄部と第２図柄部が交互に配置されているため、各図柄部のそれぞれが目立ちやすくなり、図柄部に基づいて排尿態様をより把握しやすくなる。また、第１図柄部と第２図柄部の間隔が５ｍｍ以下であるため、第１図柄部と第２図柄部を比較しやすくなり、個々の図柄部が変色したか否かだけでなく、図柄部の変色した範囲を把握し易く、より細かく排尿態様を把握し易くなる。
【００２２】
好ましい一態様によれば、図柄部の前記前後方向の最大長さは、前記図柄部間の前記前後方向の間隔よりも長くてよい。
【００２３】
図柄部の前後方向の長さが比較的長く、個々の図柄部が目立ちやすく、目盛りとして機能し易くなる。また、図柄部の前後方向の長さが長いため、個々の図柄部が変色したか否かだけでなく、図柄部の変色した範囲（例えば、１個の図柄部の半分の領域で変色した）を把握でき、より細かく排尿態様を把握し易くなる。
【００２４】
好ましい一態様によれば、前記図柄部の前記前後方向のピッチは、一定であってよい。この構成によれば、図柄部が排尿量を指標する目盛りとしてより機能しやすくなる。
【００２５】
好ましい一態様によれば、前記図柄部間の間隔は、一定であってよい。この構成によれば、図柄部が排尿量を指標する目盛りとしてより機能しやすくなる。
【００２６】
好ましい一態様によれば、前記図柄部同士は、前記インジケータ列を構成する連結部を介して連なってよい。連結部によって図柄部によって構成されたインジケータ列を、一体の列として認識させやすく、補助者は、インジケータ列全体に対する排尿位置を把握しやすくなる。
【００２７】
好ましい一態様によれば、前記図柄部は、前記インジケータ列を構成する囲み部によって囲まれてよい。
【００２８】
囲み部によって図柄部が囲まれていることにより、個々の図柄部を目立たせることができる。補助者は、インジケータ列内における個々の図柄部の位置を把握し易く、図柄部を目盛りとして排尿量及び排尿位置をより適切に把握できる。
【００２９】
好ましい一態様によれば、前記インジケータ列の前記幅方向の両側には、前記吸収コアが厚さ方向に凹んだ吸収凹部がそれぞれ形成されており、前記吸収凹部は、前記前後方向に延びてよい。
【００３０】
排泄口から排泄された体液は、当該対向する部分から前後方向及び幅方向に円心状に拡散する。そのため、インジケータ列が排泄口と対向して配置されていても、体液が幅方向に拡散しすぎると、インジケータ列が延びる前後方向に体液が拡散せずに、インジケータ列が変色せずに、排尿態様を正確に把握できないことがある。インジケータ列の幅方向の両側に吸収凹部が配置されていることにより、インジケータ列に対向する位置に体液が排出された場合に、両側の吸収凹部によって幅方向の外側への体液の拡散を抑制し、インジケータ列に沿って体液を拡散させ、インジケータ列によって排尿態様をより正確に把握できる。
【００３１】
好ましい一態様によれば、前記吸収凹部は、前記吸収コアを厚さ方向に貫通するスリットであり、平面視にて前記スリットと重なる領域において、前記吸収コアを前記厚さ方向において挟んで配置されたシート同士が接合されてよい。
【００３２】
スリットと、シート同士の接合された部分と、の両方によって、スリットよりも幅方向の外側への体液の拡散を抑制し、インジケータ列に沿って体液を拡散させ、インジケータ列によって排泄態様をより正確に把握できる。
【００３３】
好ましい一態様によれば、前記インジケータ列は、前記吸収性物品の幅方向の中央に配置されており、前記インジケータは、前記インジケータ列よりも前記幅方向の両側に配置された一対の補助インジケータを有し、前記補助インジケータは、前記吸収凹部よりも前記幅方向の外側に配置されてよい。
【００３４】
吸収凹部を超えて幅方向の外側に体液が拡散したことを補助インジケータによって示すことができる。よって、補助者は、排尿量が多い場合や装着位置がずれた場合において、補助インジケータに基づいて排尿態様を適切に把握でき、横漏れを抑制できる。
【００３５】
好ましい一態様によれば、前記インジケータ列は、前記吸収性物品の幅方向の中央に配置されており、前記インジケータは、前記インジケータ列よりも前記幅方向の両側に配置された一対の補助インジケータを有してよい。この構成によれば、複数列に配置されたインジケータによって、前後方向における尿の拡散態様を把握することができる。
【００３６】
好ましい一態様によれば、前記前後方向に並んで配置された複数の図柄部は、排尿態様を段階的に示してよい。この構成によれば、図柄部によって排尿態様を段階的に示すことができ、図柄部がより目盛りとして機能し易い。
【００３７】
好ましい一態様によれば、前記図柄部は、数字を含み、前記数字を含む図柄部は、前記前後方向に並んで配置されてよい。この構成によれば、数字によって容易かつ簡便に排尿態様を段階的に示すことができ、図柄部がより目盛りとして機能し易い。
【００３８】
好ましい一態様によれば、前記図柄部は、段階的に変化する絵柄を含み、前記絵柄を含む図柄部は、前記前後方向に並んで配置されてよい。この構成によれば、絵柄によって容易かつ簡便に排尿態様を段階的に示すことができ、図柄部がより目盛りとして機能し易い。
【００３９】
好ましい一態様によれば、前記インジケータ列には、変色後の視認性の低い低視認性部と、該低視認性部に比して該視認性の高い高視認性部とが設けられており、該低視認性部を挟んで前後方向の両側に該高視認性部が位置しており、前記インジケータ列の任意の部位を前記幅方向に横断する１本の仮想直線と前記インジケータ列との重なり部分の長さの合計を、該部位における前記変色する剤の塗布幅とした場合、前記低視認性部は、その前後方向両側に位置する前記高視認性部に比して該塗布幅が小さくてよい。
【００４０】
低視認性部が設けられていることにより、変色する剤の塗布部が前後方向に同一幅で（幅方向の長さが一定で）で連続している場合に比して、変色する剤の塗布部の変色の有無及びその変色部の拡がり程度（排泄液の位置）を容易且つ正確に確認できるようになる。
【００４１】
一態様に係る吸収性物品の収容体は、前記吸収性物品を複数収容した吸収性物品の収容体であって、前記複数の吸収性物品は、第１装飾部を有する第１吸収性物品と、前記第１装飾部と視覚的に異なる第２装飾部を有する第２吸収性物品と、を有し、前記前後方向において、前記第１吸収性物品の前記図柄部の中心位置と前記第２吸収性物品の前記図柄部の中心位置との距離は、前記図柄部の長さに対する１０％以下であり、前記幅方向において、前記第１吸収性物品の前記図柄部の中心位置と前記第２吸収性物品の前記図柄部の中心位置との距離は、前記図柄部の長さに対する１０％以下である。
【００４２】
第１装飾部と第２装飾部が異なるため、１つの収容体内に複数の種類の吸収性物品を収容でき、装飾性を高めることができる。また、第１吸収性物品と第２吸収性物品において、図柄部の中心位置が略同じであるため、異なる装飾性を実現しつつ、排尿態様は、どの吸収性物品であっても同じように示すことができる。補助者は、デザインが異なる吸収性物品を使用しても、同じように排尿態様を把握できる。
【００４３】
好ましい一態様によれば、前記第１吸収性物品の図柄部と前記第２吸収性物品の図柄部は、視覚的に同じであってよい。図柄部が視覚的に同じであるため、装飾部によるデザインが異なる吸収性物品を使用しても、同じように排尿態様を把握できる。
【００４４】
好ましい一態様によれば、前記第１吸収性物品の図柄部と前記第２吸収性物品の図柄部は、視覚的に異なってよい。
【００４５】
第１装飾部及び第２装飾部とともに、図柄部によっても、第１吸収性物品と第２吸収性物品に異なる装飾性を付与できる。図柄部が視覚的に異なっていても、図柄部の中心位置が同じであるため、目盛りとしての機能を発揮することができる。
【００４６】
好ましい一態様によれば、前記第１装飾部及び前記第２装飾部は、前記吸収性物品の非肌面側から視認可能であってよい。
【００４７】
補助者は、吸収性物品を非肌面側から視認した際に、第１装飾部、第２装飾部及び図柄部を視認できる。装飾部による異なる装飾性と、インジケータに基づく排尿態様の指標と、を併せて発揮できる。
【００４８】
（２）実施形態の詳細説明
次に、図面を参照して、一実施形態に係る吸収性物品について説明する。本実施形態において、吸収性物品は、テープタイプの吸収性物品である。この代わりに、吸収性物品は、パンツタイプの吸収性物品であってもよい。なお、吸収性物品は、乳幼児用のおむつであってもよく、大人用のおむつであってもよい。
【００４９】
以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００５０】
図１は、一実施形態に係る吸収性物品を肌面側から見た模式平面図であり、図２は、吸収性物品を非肌面側から見た模式平面図である。図３は、図１に示す吸収性物品の３Ａ−３Ａ断面に沿った模式断面図である。図１から図３に示す図は、伸長状態の吸収性物品を示している。図３に示す模式断面図では、説明の便宜上、各部材を厚さ方向Ｔにおいて離間して示しているが、実際の製品においては厚さ方向Ｔに接している。なお、本発明における伸長状態とは、吸収性物品１０を皺が形成されない状態まで伸長させた状態である。また、本発明における自然状態とは、パッケージに収容されている吸収性物品１０にあっては、パッケージから吸収性物品１０を取り出し、２０℃±２℃、相対湿度６０％±５％ＲＨの雰囲気下において２４時間放置した状態である。
【００５１】
吸収性物品１０は、前後方向Ｌと、幅方向Ｗと、厚さ方向Ｔと、を有する。前後方向Ｌは、着用状態において、吸収性物品１０の腹側と背側とを結ぶ方向である。幅方向Ｗは、吸収性物品１０の平面視で前後方向Ｌに直交する方向である。厚さ方向Ｔは、前後方向Ｌと幅方向Ｗの両方に直交する方向である。非肌面又は非肌面側Ｔ２は、吸収性物品の着用状態において、着用者の肌とは反対側に向く面又は側を意味する。一方、肌面又は肌面側Ｔ１は、吸収性物品の着用状態において、着用者の肌の方に向く面又は側を意味する。
【００５２】
吸収性物品１０は、前胴回り域Ｓ１と、股下域Ｓ３と、後胴回り域Ｓ２と、を有する。前胴回り域Ｓ１は、吸収性物品の使用時に、着用者の前胴回りに面する領域である。後胴回り域Ｓ２は、吸収性物品の使用時に、着用者の後胴回りに面する領域である。股下域Ｓ３は、吸収性物品の使用時に、着用者の股下に位置する領域であり、前胴回り域Ｓ１と後胴回り域Ｓ２との間に位置する。股下域Ｓ３は、着用者の脚回りに配置される脚回り開口部６５が設けられた領域である。脚回り開口部６５は、吸収性物品の外側縁から幅方向の内側に凹む部分である。
【００５３】
吸収性物品１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体３０が構成されてよい。コアラップ３２は、ティッシュによって構成され、吸収コア３１よりも肌面側Ｔ１と吸収コア３１よりも非肌面側Ｔ２に配置されてよい。
【００５４】
吸収コア３１には、厚さ方向に凹んだ吸収凹部４１が形成されている。吸収凹部４１は、吸収コア３１を厚さ方向に貫通するスリット、吸収材料の坪量が低い低坪量部、及び吸収コア等を厚さ方向に圧縮したエンボス部のうち、少なくともいずれかによって構成される。図３に示すように、本実施の形態の吸収凹部４１は、吸収コアに形成されたスリットによって構成されている。
【００５５】
吸収凹部４１は、前後方向Ｌに延び、かつ幅方向Ｗに間隔を空けて配置されている。吸収凹部４１は、吸収コア３１の幅方向Ｗの中心に配置されてなく、吸収コア３１の幅方向Ｗの中心に対する両側に配置されてよい。吸収凹部が配置されていることにより、体液が排出された場合に吸収凹部４１によって前後方向への体液の拡散させることができる。
【００５６】
図１及び図３に示すように、吸収コア３１を含む吸収体３０の肌面側Ｔ１には、表面シート２１及びサイドシート２２が設けられてよい。表面シート２１は、吸収体３０の幅方向Ｗの中心を跨いで配置されてよい。サイドシート２２は、表面シート２１の外側部を覆うように配置されてよい。表面シート２１及びサイドシート２２は、例えば不織布や開孔プラスチックフィルムのような透液性シートによって構成されていてよい。サイドシート２２の内側部は、折り返されて重なってよい。重なったサイドシート２２間には、前後方向Ｌに伸縮する防漏伸縮部４３が設けられてよい。防漏伸縮部４３は、前後方向Ｌに伸縮する糸ゴムによって構成されてよい。サイドシート２２と防漏伸縮部４３は、着用時に肌面側Ｔ１に起立する防漏ギャザーを構成する。
【００５７】
吸収体３０の非肌面側Ｔ２には、裏面シート２３及び外装シート２４が設けられてよい。外装シート２４は、裏面シート２３の非肌面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００５８】
後胴回り域Ｓ２の外側部には、ファスニングテープ９０が設けられている。ファスニングテープ９０は、ベース部９２と係合部９３を有する。ベース部９２は、厚さ方向Ｔにおいて外装シート２４及びサイドシート２２の間に配置され、幅方向Ｗにおいて外装シート２４及びサイドシート２２から外側に延出している。係合部９３は、ベース部９２上に配置されており、ターゲット部９５に係合する。ターゲット部９５は、前胴回り域Ｓ１において幅方向に間隔を空けて配置されており、ファスニングテープ９０の係合部９３がそれぞれ止着するように構成されている。
【００５９】
吸収性物品１０は、水分との接触によって変色するインジケータ７０を有する。インジケータ７０は、吸収コア３１が体液を吸収することによって変色し、吸収性物品１０の非肌面側Ｔ２から体液の吸収状態を把握できるように構成されている。インジケータ７０は、前後方向Ｌに延びるインジケータ列を有する。インジケータ列は、少なくとも前後方向Ｌに延びていればよく、前後方向に延びつつ幅方向にも延びていてもよく、湾曲した曲線状であってもよいし、直線状であってもよい。
【００６０】
インジケータ７０は、少なくとも股下域Ｓ３に設けられており、前胴回り域Ｓ１に設けられていてもよいし、後胴回り域Ｓ２に設けられていてもよい。インジケータ７０は、吸収コア３１よりも非肌面側に配置されてよく、裏面シート２３又は外装シート２４に設けられていてよい。好ましくは、インジケータ７０は、裏面シート２３に設けられていてよい。
【００６１】
インジケータ列は、吸収性物品１０の幅方向Ｗの中央に配置されたセンターインジケータ列７１と、センターインジケータ列７１の幅方向Ｗの両側に配置された一対のサイドインジケータ列７２と、を有してよい。センターインジケータ列７１とサイドインジケータ列７２は、幅方向Ｗにおいて間隔を空けて配置されてよい。センターインジケータ列７１は、吸収性物品１０の幅方向Ｗの中心を跨いでいればよく、センターインジケータ列７１の一部が、吸収性物品１０の幅方向Ｗの中心から離間していてもよい。複数列に配置されたインジケータ７０によって、前後方向における尿の拡散態様を把握することができる。
【００６２】
センターインジケータ列７１及びサイドインジケータ列７２は、前後方向Ｌに間隔を空けて配置された複数の図柄部８０の集合体によって構成されている。センターインジケータ列７１が前後方向Ｌに延びており、補助者は、センターインジケータ列７１によって排尿された領域の前後方向Ｌの範囲を把握でき、前後方向Ｌの排尿位置及び大凡の排尿量を把握できる。センターインジケータ列７１及びサイドインジケータ列７２には、複数の図柄部８０が前後方向Ｌに間隔を空けて配置されている。図柄部８０は、線形状と比較して、それぞれが目立ち易い。補助者は、それぞれの図柄部を独立した目印として認識でき、図柄部８０を目盛りとして細かい排尿量及び排尿位置を把握できる。よって、補助者は、排尿態様に基づいて着用者の健康状態や装着状態を把握できる。
【００６３】
本実施形態のセンターインジケータ列７１及びサイドインジケータ列７２は、複数の図柄部の集合体によって構成されている。しかし、変形例において、センターインジケータ列７１及びサイドインジケータ列の一方が、図柄の集合体でなく、直線状又は曲線上のラインによって構成されていてよい。サイドインジケータ列７２は、補助インジケータを構成している。以下の説明においては、センターインジケータ列の図柄部を主として説明するが、センターインジケータ列の図柄の構成をサイドインジケー列に採用してもよい。
【００６４】
水分との接触によって変色した変色後において、センターインジケータ列７１とサイドインジケータ列７２は、視覚的に異なるように構成されてよい。変色後におけるセンターインジケータ列７１とサイドインジケータ列７２が視覚的に異なるため、補助者は、センターインジケータ列７１とサイドインジケータ列７２を区別して把握できる。よって、補助者は、インジケータ全体を視認できない場合であっても、センターインジケータ列７１のみが反応した状態であるのか、サイドインジケータ列７２のみが反応した状態であるのか、センターインジケータ列７１のどの部分まで反応した状態であるのか等、インジケータ７０の反応状態を適切に把握できる。よって、排尿量を適切に把握し易く、適切なタイミングに吸収性物品の交換を行うことができる。なお、センターインジケータ列７１とサイドインジケータ列７２は、変色前においても、視覚的に異なるように構成されていてもよい。図２、図４及び図５に示すインジケータ７０は、変色後の状態を示している。
【００６５】
ここで、「視覚的に異なる」とは、大きさ（前後方向の長さ、幅方向の長さ）、形状、色、濃さの少なくともいずれかが異なっていることであり、触覚ではなく、視覚にて異なると認識できる構成であればよい。また、変色後に、センターインジケータ列７１とサイドインジケータ列７２が視覚的に異なっていればよく、変色前において、センターインジケータ列７１とサイドインジケータ列７２が視覚的に同じであってもよい。なお、本発明における「視覚的に異なる」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに区別できる事を意味している。
【００６６】
センターインジケータ列７１とサイドインジケータ列７２の色が異なる形態にあっては、センターインジケータ列７１の色がサイドインジケータ列７２色とは反対色に属する色によって形成されてよい。この構成によれば、補助者は、センターインジケータ列７１とサイドインジケータ列７２との違いをより認識しやすくなる。ここで、ある色の反対色は、色相を２０等分したマンセル表色系に基づく色相環において、ある色の補色（色相環で反対側に位置する色）と、当該補色の１つ及び２つ隣の色と、を意味するものとする。また、センターインジケータ列の図柄部とサイドインジケータ列の図柄部は、視覚的に異なってよいし、一部が同じであってもよいし、互いに視覚的に異なっていてもよい。
【００６７】
センターインジケータ列７１の図柄部８０は、第１図柄部８１と、第２図柄部８２と、を有してよい。第１図柄部８１と第２図柄部８２は、変色後において視覚的に異なってよい。すなわち、センターインジケータ列７１は、視覚的に異なる図柄部を有してよく、３種類以上の図柄部を有してもよい。視覚的に異なる図柄部は、図柄の形状、色、大きさが異なる構成のみならず、図柄の形状等が同じであって角度が異なる構成であってもよい。視覚的に異なる第１図柄部８１と第２図柄部８２を有しているため、図柄部が区別され易い。補助者は、センターインジケータ列７１内における個々の図柄部８０の位置を把握し易く、図柄部８０を目盛りとして排尿量及び排尿位置をより適切に把握できる。
【００６８】
第１図柄部８１と第２図柄部８２は、相互作用的に無関係であってもよい。図柄部同士が相互作用的に無関係であるため、補助者は、各図柄部を混同しにくくなる。よって、補助者は、各図柄部を区別して目盛りとして認識し易い。よって、図柄部８０を目盛りとして排尿量及び排尿位置をより適切に把握できる。
【００６９】
ここで、「相互作用的に無関係」とは、一方の図柄部が行動、活動に関わっているか又はそれを実行しているように描かれており、他方の図柄部が、行動や活動の対象でもなく行動や活動に関連もない場合には、相互作用的に無関係である。また、他の例としては、植物、動物、人物、食べ物、抽象的な図柄（ハート、ダイヤ、星）として図柄を分類した際に、当該分類が異なる図柄部は、相互作用的に無関係である。例えば、第１図柄部としての花の図柄と第２図柄部８２としての星の図柄は、相互作用的に無関係である。また、抽象的な図柄の分類内においても、関連性がない図柄同士は、相互作用的に無関係であり、ハートの図柄と星の図柄とは、関連性がなく、相互作用的に無関係である。
【００７０】
第１図柄部８１の最大長さは、第２図柄部８２の最大長さよりも長くてよい。最大長さは、前後方向Ｌにおける最大長さであってもよいし、幅方向Ｗの最大長さであってもよい。第１図柄部８１が第２図柄部８２よりも目立ちやすく、第１図柄部８１が排尿量を指標する主の目盛りとして機能しやすくなる。また、第２図柄部８２の最大長さが短いため、第２図柄部８２が細かい目盛りとして機能し、より細かく排尿態様を把握することができる。好適には、第２図柄部の最大長さは、第１図柄部の最大長さの１／２以下であってよい。補助者は、主の目盛りと補助の目盛りとを区別し易くなる。
【００７１】
少なくとも一つの第２図柄部８２は、前後方向Ｌにおいて第１図柄部８１間に配置されてよい。第１図柄部８１のみならず第２図柄部８２に基づいて排尿態様を把握することができ、より細かく排尿態様を把握することができる。
【００７２】
より好適には、第１図柄部８１と第２図柄部８２は、前後方向Ｌに交互に配置されてよい。第１図柄部８１と第２図柄部８２の両方が目盛りとして機能し、より細かく排尿態様を把握し易くなる。第１図柄部８１と第２図柄部８２の前後方向Ｌの間隔は、５ｍｍ以下であることが好ましい。第１図柄部８１と第２図柄部８２が交互に配置されているため、第１図柄部８１と第２図柄部８２のそれぞれが目立ちやすくなり、図柄部に基づいて排尿態様をより把握しやすくなる。また、第１図柄部と第２図柄部の間隔が５ｍｍ以下であるため、第１図柄部８１と第２図柄部８２を比較しやすくなり、個々の図柄部が変色したか否かだけでなく、図柄部の変色した範囲を把握し易く、より細かく排尿態様を把握し易くなる。また、第１図柄部と第２図柄部が一体化して目盛りとして機能し易くするために、第１図柄部の中心と第２図柄部の中心は、図柄部が並ぶ方向（前後方向）と直交する方向（幅方向）において一致していることが好ましい。
【００７３】
図柄部８０の前後方向Ｌの最大長さＬ８０は、図柄部８０間の前後方向Ｌの間隔Ｇ８０よりも長くてよい。図柄部８０の前後方向の最大長さＬ８０が比較的長いことにより、個々の図柄部８０が目立ちやすく、目盛りとして機能し易くなる。また、図柄部８０の前後方向Ｌの長さが長いため、個々の図柄部８０が変色したか否かだけでなく、図柄部８０の変色した範囲（例えば、１個の図柄部の半分の領域で変色した）を把握でき、より細かく排尿態様を把握し易くなる。
【００７４】
図柄部８０の前後方向ＬのピッチＰ８０は、一定であってよい。この構成により、図柄部８０が排尿量を指標する目盛りとして機能しやすくなる。ピッチは、隣接する方向における図柄部８０の中心間の距離である。なお、図柄部８０が第１図柄部８１と第２図柄部８２を有する形態にあっては、第１図柄部８１のピッチＰ８１が一定であってもよいし、第２図柄部８２のピッチＰ８２が一定であってもよい。より好適には、第１図柄部８１と第２図柄部８２のピッチＰ８０が一定であってもよい。なお、本発明におけるピッチが一定であるとは、ピッチの平均値に対する５％の誤差の範囲内である場合も含む概念である。
【００７５】
図柄部８０は、一方向、例えば前後方向Ｌに、１０ｍｍ以上かつ３０ｍｍ未満のピッチで複数並んでいることが好ましい。ピッチは、隣接する方向における図柄部の中心間の距離である。ロンパースのような衣服では、股下域Ｓ３に対向する位置のボタンを外すと、股下域Ｓ３において前後方向Ｌに３０ｍｍ程度の隙間が生じる。図柄部が、１０ｍｍ以上かつ３０ｍｍ未満のピッチで複数並んでいれば、３０ｍｍ程度の隙間（ロンパースの隙間）から、少なくとも１つの図柄部の全体が確認できる。これにより、ロンパースの隙間から、吸収性物品の股下域Ｓ３に尿が付着しているかどうかを容易に把握することができる。
【００７６】
また、図柄部８０のピッチは、１０ｍｍであってもよいし、５ｍｍであってもよい。１０ｍｍ及び５ｍｍは、日常生活で使用頻度の高い寸法であり、当該ピッチで並んだ図柄部によれば直感的に寸法を把握し易くなる。例えば、第１図柄部８１のピッチが１０ｍｍでありし、第１図柄部８１の中間位置（第１図柄部の中心から５ｍｍの位置）に第２図柄部８２の中心が位置してよい。第１図柄部８１と第２図柄部８２によって５ｍｍピッチの目盛りを示すことができる。
【００７７】
図柄部８０間の間隔Ｇ８０は、一定であってよい。この構成により、図柄部が排尿量を指標する目盛りとして機能しやすくなる。なお、図柄部８０が第１図柄部８１と第２図柄部８２を有する形態にあっては、第１図柄部８１の間隔Ｇ８１が一定であってもよいし、第２図柄部８２の間隔Ｇ８２が一定であってもよい。より好適には、第１図柄部８１と第２図柄部８２の間隔Ｇ８０が一定であってもよい。なお、本発明における間隔が一定であるとは、間隔の平均値に対する５％の誤差の範囲内である場合も含む概念である。なお、本実施の形態のセンターインジケータ列のように、第１図柄部と第２図柄部が幅方向において部分的に重なっており、図柄部の間隔Ｇ８０が形成されていなくてもよい。
【００７８】
乳幼児のようなユーザは、ロンパースのように、股下領域を開放できるような衣服を身に着けることが多い。この場合、補助者は、衣服の股下領域を開放することによって吸収性物品の股下域に設けられたインジケータ７０を視認し、尿が付着しているかどうかを判断する。ここで、ロンパースのような衣服では、股下域Ｓ３において、前後方向に３０ｍｍ程度かつ幅方向に３０ｍｍ程度の隙間が生じ得る。よって、吸収性物品の幅方向の中心を含む３０ｍｍの範囲及び吸収性物品の前後方向の中心を含む３０ｍｍの範囲内において、インジケータ７０を視認できるように構成されていていることが好ましい。
【００７９】
図柄部は、互いに隣接する図柄部の間隔は、図柄部同士が並ぶ方向における図柄部の長さよりも短いことが好ましい。これにより、複数の図柄部が、比較的短い間隔で一方向に並ぶため、補助者は、図柄部の集合体全体としてのインジケータを認識し易い。また、図柄部が比較的短い間隔で一方向に並ぶため、吸収性物品１０のどの領域まで尿が達しているかを判別し易くなる。
【００８０】
図柄部の前後方向の長さ及び図柄部の幅方向の長さは、２０ｍｍ以下であることが好ましい。乳幼児のようなユーザは、ロンパースのように、股下領域を開放できるような衣服を身に着けることが多い。この場合、例えば親のような補助者は、衣服の股下領域を開放することによって吸収性物品の股下域に設けられた図柄部を視認し、尿が付着しているかどうかを判断する。ここで、ロンパースのような衣服では、股下域において、前後方向に３０ｍｍ程度かつ幅方向に３０ｍｍ程度の隙間が生じ得る。この場合、図柄部の長さが２０ｍｍ以下であることにより、インジケータの周りの領域が十分に視認できるため、補助者は、周りの領域との相違により図柄部を認識しやすくなる。
【００８１】
また、図柄部の前後長さ及び幅方向の長さは、４ｍｍ以上であってよい。図柄部が小さくなりすぎることを防止し、補助者は図柄部を認識しやすくなる。また、第１図柄部８１と第２図柄部８２を有する形態にあっては、第１図柄部の前後方向の長さ及び幅方向の長さは、１０ｍｍ以上であってよい。
【００８２】
より好適には、図柄部８０が並ぶ方向、例えば前後方向Ｌにおいて、図柄部８０の長さは、１２．５ｍｍ以上であることが好ましい。ロンパースのような衣服では、股下域において、前述したように、３０ｍｍ程度の隙間が生じ得る。したがって、図柄部の長さが１２．５ｍｍ以上であれば、３０ｍｍ程度の隙間に対する図柄部８０のサイズを確保することができる。これにより、補助者は、３０ｍｍ程度の隙間から図柄部を認識しやすくなる。
【００８３】
補助者にインジケータ７０を認識しやすくするためには、３０ｍｍ程度の隙間から、１つ、好ましくは２つの図柄部を視認可能にすることが好ましい。さらに、図柄部が小さくなりすぎないよう、３０ｍｍ程度の隙間から見える図柄部は３未満であることがより好ましい。このような条件を考慮すると、図柄部の一方向の長さは９〜２９ｍｍの範囲であり、かつ図柄部同士の間の距離は１〜２１ｍｍの範囲であってよい。
【００８４】
インジケータ列には、変色後の視認性の低い低視認性部と、低視認性部に比して視認性の高い高視認性部とが設けられてよい。低視認性部は、インジケータ列の幅方向の全長に亘って変色する剤が塗布されていない非塗布部からなるか、インジケータ列の任意の部位を横方向に横断する１本の仮想直線と塗布部との重なり部分の長さの合計を、該部位における変色する剤の塗布幅とした場合、低視認性部は、高視認性部に比して、該塗布幅が小さく構成されている。低視認性部が設けられていることにより、変色する剤の塗布部が前後方向に同一幅で（幅方向の長さが一定で）で連続している場合に比して、変色する剤の塗布部の変色の有無及びその変色部の拡がり程度（排泄液の位置）を容易且つ正確に確認できるようになる。
【００８５】
なお、ここでいう、「変色後の前記変色する剤の塗布部の視認性」は、吸収性物品を外部から目視により観察し、インジケータ列を外装シート２４及び裏面シート２３越しに見た場合の視認性（見え易さ）を意味する。高視認性部は、低視認性部を挟んで前後方向の両側に位置してよい。本実施形態においては、低視認性部は、各インジケータ列７１，７２の幅方向の全長に亘って変色する剤が塗布されていない非塗布部によって構成されてよい。非塗布部は、連結部を有しない形態にあっては、第１図柄部と第２図柄部の間の部分である。また、第２図柄部の幅方向の長さが第１図柄部の幅方向の長さよりも短い形態にあっては、第２図柄部が配置された部分も低視認性部を構成する。また、連結部の幅方向の長さが図柄部の幅方向の長さよりも短い形態にあっては、連結部が配置された部分も低視認性部を構成する。
【００８６】
センターインジケータ列７１の幅方向の両側には、吸収凹部４１がそれぞれ配置されてよい。排泄口から排泄された体液は、当該対向する部分から前後方向Ｌ及び幅方向Ｗに円心状に拡散する。そのため、センターインジケータ列７１が排泄口と対向して配置されていても、体液が幅方向に拡散しすぎると、センターインジケータ列７１が延びる前後方向Ｌに体液が拡散せずに、センターインジケータ列７１が変色せずに、排尿態様を正確に把握できないことがある。センターインジケータ列７１の幅方向の両側に吸収凹部４１が配置されていることにより、センターインジケータ列７１に対向する位置に体液が排出された場合に、両側の吸収凹部４１によって幅方向の外側への体液の拡散を抑制し、センターインジケータ列７１に沿って体液を拡散させ、センターインジケータ列７１によって排尿態様をより正確に把握できる。
【００８７】
図３に示すように、平面視にて吸収凹部４１としてのスリットと重なる領域において、吸収コア３１を厚さ方向Ｔにおいて挟んで配置されたシート同士が接合されてよい。当該シートは、トップシート、サイドシート、コアラップ、裏面シート及び外装シートを含む。本実施の形態の吸収性物品は、吸収コア３１を厚さ方向に挟んで配置されたコアラップ３２同士が接合されている。スリットと、シート同士の接合された部分と、の両方によって、スリットよりも幅方向の外側への体液の拡散を抑制し、センターインジケータ列７１に沿って体液を拡散させ、センターインジケータ列７１によって排泄態様をより正確に把握できる。
【００８８】
吸収凹部４１よりも幅方向の外側には、補助インジケータとしてのサイドインジケータ列７２が配置されてよい。吸収凹部４１を超えて幅方向の外側に体液が拡散したことをサイドインジケータ列７２によって示すことができる。よって、補助者は、排尿量が多い場合や装着位置がずれた場合において、サイドインジケータ列７２に基づいて排尿態様を適切に把握でき、横漏れを抑制できる。
【００８９】
次いで、図４及び図５に基づいて変形例に係るインジケータについて説明する。図４及び図５は、吸収性物品の非肌面側から見た平面図であり、変形例に係るインジケータ列を示している。なお、以下の変形例の説明において、上述の実施の形態と同様の構成にあっては、同符号を用いて説明を省略する。変形例１から変形例５に係るインジケータ列は、上述の実施形態と同様に、複数の図柄部の集合体によって構成されている。
【００９０】
図４（ａ）は、変形例１に係るインジケータ列７０１を示している。インジケータ列７０１は、第１図柄部８１と第２図柄部８２を有しており、第１図柄部８１の前後方向Ｌの長さと第２図柄部８２の前後方向Ｌの長さは、同じであり、第１図柄部８１の幅方向Ｗの長さと第２図柄部８２の幅方向Ｗの長さは、同じである。
【００９１】
また、図柄部８０同士は、インジケータ列を構成する連結部８５を介して連なってよい。連結部８５によって図柄部８０によって構成されたインジケータ列７０１を、一体の列として認識させやすく、補助者は、インジケータ列７０１全体に対する排尿位置を把握しやすくなる。本実施の形態の連結部８５は、第１図柄部８１と第２図柄部８２を繋ぐ直線状のラインによって構成されている。
【００９２】
また、連結部８５と複数の図柄部８０によって定規の形状を模してもよい。日常的に使用する定規の形状を模すことにより、図柄部が目盛りとして機能し易くなり、補助者が排尿態様を感覚的に把握し易くなる。また、他の変形例において、第２図柄部８２が第１図柄部８１同士を連結するように配置され、第２図柄部８２が連結部を構成してもよい。
【００９３】
図４（ｂ）は、変形例２に係るインジケータ列７０２を示している。変形例２に係る図柄部は、インジケータ列７０２を構成する囲み部８６によって囲まれている。囲み部８６によって図柄部が囲まれていることにより、個々の図柄部８０を目立たせることができる。補助者は、インジケータ列７０２内における個々の図柄部８０の位置を把握し易く、図柄部８０を目盛りとして排尿量及び排尿位置をより適切に把握できる。
【００９４】
また、図柄部８０とともに囲み部８６も尿によって変色するため、補助者は、図柄部８０を特徴的なものと認識し易くなる。図４（ｂ）に示す例では、囲み部８６は、図柄部８０を取り囲む四角形状を有する。囲み部８６は、図４（ｂ）に示すように、１重に形成されていてもよいし、２重以上に形成されていてもよい。囲み部８６が２重に形成されていると、図柄部８０がより目立ち易くなる。
【００９５】
また、第１図柄部８１と第２図柄部８２は、相互作用的に関係がある。第１図柄部８１は、２重の丸柄であり、第２図柄部８２は、１重の丸柄である。第１図柄部８１と第２図柄部８２が相互作用的に関係あるため、補助者は、第１図柄部８１と第２図柄部８２の両方を、目盛りを示す図柄部８０として認識し易い。よって、第１図柄部８１と第２図柄部８２を包括した全体を目盛りとして排尿量及び排尿位置をより適切に把握できる。
【００９６】
ここで、「相互作用的に関係ある」とは、両方の図柄部が行動、活動に関わっているか又はそれを実行しているように描かれている場合、両方の図柄部が行動や活動の対象でもなく行動や活動に関連もない場合には、相互作用的に関係がある。また、他の例としては、植物、動物、人物、食べ物、抽象的な図柄（ハート、ダイヤ、星）として図柄を分類した際に、当該分類が同じ図柄部は、相互作用的に関係がある。
【００９７】
図４（ｃ）は、変形例３に係るインジケータ列７０３を示している。変形例３に係るインジケータ列は、図柄部を囲む囲み部８６を有し、囲み部８６同士が連なっている。また、囲み部８６は、図柄部８０の外形を縁取る形状を有している。図柄部８０の外形を縁取る形状を有する囲み部８６を有することにより、図柄部８０がより特徴的な形になり、より図柄部８０が目立ちやすい。
【００９８】
図５（ａ）及び図５（ｂ）は、変形例４に係るインジケータ列７０４及び変形例５に係るインジケータ列７０５を示している。インジケータ列７０４及びインジケータ列７０５は、前後方向に並んで配置された図柄部が排尿態様を段階的に示している。図柄部によって排尿態様を段階的に示すことにより、図柄部がより目盛りとして機能し易い。図柄部は、前後方向の中心から前後方向の外側に向かって段階が徐々に上がるように構成されてよい。このような図柄部によれば、排泄口に近い位置のみが排尿した第１段階、第１段階よりも排尿量が増えた第２段階、等、排尿量をより適切に把握し易くなる。
【００９９】
図５（ａ）に示す例では、数字を含む図柄部によって段階を示している。数字によって容易かつ簡便に排尿態様を段階的に示すことにより、図柄部がより目盛りとして機能し易い。また、図５（ｂ）に示す例では、段階的に変化する絵柄を含む図柄部によって段階を示している。具体的には、卵の絵柄によって第１段階を示し、卵にひびが入った絵柄によって第２段階を示し、卵が割れた絵柄によって第３段階を示し、ひよこの絵柄によって第４段階を示している。また、その他の段階を示す絵柄としては、表情が段階的に変化する顔の絵柄が上げられる。笑顔の絵柄によって第１段階を示し、徐々に悲しい表情になることによって、段階を示すことができる。
【０１００】
次いで、図６に基づいて、吸収性物品の収容体について説明する。図６（ａ）は、第１実施例に係る吸収性物品の収容体１００Ａであり、図６（ｂ）は、第２実施例に係る吸収性物品の収容体１００Ｂである。収容体１００Ａ、１００Ｂは、複数の吸収性物品と、複数の吸収性物品を収容する包装袋１０１と、を有する。包装袋１０１には、図示しない取り出し口が形成され、取り出し口を介して内部の吸収性物品が取り出される。
【０１０１】
複数の吸収性物品１０は、第１装飾部２７を有する第１吸収性物品１０Ａと、第１装飾部２７と視覚的に異なる第２装飾部２８を有する第２吸収性物品１０Ｂと、を有する。第１装飾部２７と第２装飾部２８が異なるため、１つの包装袋１０１内に複数の種類の吸収性物品を収容でき、装飾性を高めることができる。第１吸収性物品１０Ａと第２吸収性物品１０Ｂは、装飾部の態様のみ異なり、その他の構成（吸収性物品の寸法、吸収コアの形状等）が同じであってよい。
【０１０２】
第１装飾部２７及び第２装飾部２８は、吸収性物品の非肌面側Ｔ２から視認可能であり、例えば、外装シート２４又は裏面シート２３に印刷されている。補助者は、吸収性物品を非肌面側から視認した際に、第１装飾部２７、第２装飾部２８及び図柄部８０を視認できる。装飾部による異なる装飾性と、インジケータの図柄部８０に基づく排尿態様の指標と、を併せて発揮できる。また、好適には、第１装飾部２７及び第２装飾部２８は、吸収性物品を包装袋から取り出した状態で、インジケータが配置された面に設けられてよい。これにより、補助者は、吸収性物品を使用する前においてインジケータと装飾部を共に視認可能である。
【０１０３】
装飾部（第１装飾部２７及び第２装飾部２８）が、吸収性物品の非肌面側Ｔ２から視認可能な構成にあっては、装飾部が図柄部に相関する表示を示してもよい。例えば装飾部によって、図柄部の存在を目立たせたり、数字等によって目盛りとしての機能を補助したりできる。また、装飾部と図柄部は、平面視にて重なっていないことが好ましい。装飾部と図柄部が混同しにくくなり、インジケータの図柄部を目立たせることができる。
【０１０４】
また、第１吸収性物品１０Ａにおけるインジケータ列の図柄部の中心位置、第２吸収性物品１０Ｂにおけるインジケータ列の図柄部の中心位置との距離は、所定長さ以下であってよい。当該図柄部の中心位置の距離は、第１吸収性物品１０Ａの全体における図柄部の中心位置と、第２吸収性物品１０Ｂの全体における図柄部の中心位置と、を比較することによって得られる。例えば、吸収性物品の幅方向の中心かつ前後方向の中心を基準として、基準に対して左側に１０ｍｍ、前側に１０ｍｍずれた位置に第１吸収性物品１０Ａの図柄部の中心位置があり、基準に対して左側に５ｍｍ、前側に２０ｍｍずれた位置に図柄部の中心位置がある場合は、幅方向の中心位置同士の距離は、５ｍｍであり、前後方向の中心位置同士の距離は、１０ｍｍとなる。
【０１０５】
前後方向において、第１吸収性物品１０Ａの図柄部の中心位置と第２吸収性物品１０Ｂの図柄部の中心位置との距離は、図柄部の長さに対する１０％以下である。また、幅方向において、第１吸収性物品１０Ａの図柄部の中心位置と第２吸収性物品１０Ｂの図柄部の中心位置との距離は、図柄部の長さに対する１０％以下である。第１吸収性物品１０Ａと第２吸収性物品１０Ｂにおいて、図柄部の中心位置が略同じであるため、異なる装飾性を実現しつつ、排尿態様は、どの吸収性物品であっても同じように示すことができる。補助者は、デザインが異なる吸収性物品を使用しても、同じように排尿態様を把握できる。
【０１０６】
図６（ａ）に示すように、第１吸収性物品１０Ａの図柄部と第２吸収性物品１０Ｂの図柄部は、視覚的に同じであってよい。視覚的に同じ図柄部は、視覚的に異ならない図柄部であり、大きさ及び形状が同じ図柄である。図柄部が視覚的に同じであるため、装飾部によるデザインが異なる吸収性物品を使用しても、同じように排尿態様を把握できる。
【０１０７】
図６（ｂ）に示すように、第１吸収性物品１０Ａの図柄部と第２吸収性物品１０Ｂの図柄部は、視覚的に異なってよい。第１装飾部及び第２装飾部とともに、図柄部によっても、第１吸収性物品１０Ａと第２吸収性物品１０Ｂに異なる装飾性を付与できる。図柄部が視覚的に異なっていても、図柄部の中心位置が同じであるため、目盛りとしての機能を発揮することができる。
【０１０８】
なお、第１吸収性物品１０Ａの図柄部と第２吸収性物品１０Ｂの図柄部が視覚的に異なる構成にあっては、図柄部は、相互作用的に関係があってもよいし、世界感が同じであってもよい。世界感が同じ図柄部は、同じシリーズのキャラクタ図柄や、同じストーリーに基づく図柄を例示できる。
【０１０９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１１０】
本態様によれば、インジケータによって排尿量を適切に把握し、適切なタイミングに吸収性物品の交換を行うことができる吸収性物品を提供することができる。
【符号の説明】
【０１１１】
１０、１０Ａ、１０Ｂ  ：吸収性物品
２７    ：第１装飾部
２８    ：第２装飾部
３１    ：吸収コア
４１    ：吸収凹部
７０    ：インジケータ
７１    ：センターインジケータ列
７２    ：サイドインジケータ列
８０    ：図柄部
８１    ：第１図柄部
８２    ：第２図柄部
８５    ：連結部
８６    ：囲み部
１００Ａ、１００Ｂ  ：収容体
１０１  ：包装袋
Ｌ      ：前後方向
Ｓ１    ：前胴回り域
Ｓ２    ：後胴回り域
Ｓ３    ：股下域
Ｔ      ：方向
Ｔ１    ：肌面側
Ｔ２    ：非肌面側
Ｗ      ：幅方向
【図１】
2020065812.tif 000003
【図２】
2020065812.tif 000004
【図３】
2020065812.tif 000005
【図４】
2020065812.tif 000006
【図５】
2020065812.tif 000007
【図６】
2020065812.tif 000008